(57)【要約】【課題】  複数の記録媒体に記録された画像に対して画像処理を行う前に、その記録内容を確認する。【解決手段】  撮影動作時に、記録媒体（ＳＤ、ＣＦ）に共通の静止画像を同時に記録する。また撮影動作時に、共通のユニークデータも静止画像とともに各記録媒体に記録する。モニタでの静止画像の表示において、２つの記録媒体から共通のユニークデータが記録されている静止画像を読み出すとともに、ユニークデータが一致していることを示す情報枠（Ｘ１〜Ｘ８）をモニタの画面（Ｗ１、Ｗ２、Ｗ３）の上部外側に表示する。共通のユニークデータが付された静止画像に対して、例えば消去等の画像処理を施す。【選択図】        図４
2006345029.tif 000002
【特許請求の範囲】
【請求項１】
着脱自在に取付けられる複数の記録媒体にそれぞれ、共通の静止画像を同時に記録することができる画像記録装置であって、
撮影動作時に共通のユニークデータを、前記静止画像とともに前記複数の記録媒体に記録するユニークデータ記録手段と、
前記静止画像の表示動作時に、前記複数の記録媒体から前記ユニークデータを読み出し、読み出されたユニークデータが一致するときに、前記ユニークデータが一致していることを示す記録情報を表示するように制御する記録情報表示手段と
を備えることを特徴とする画像記録装置。
【請求項２】
前記静止画像を表示するためのモニタを備え、前記記録情報が前記静止画像の近傍に表示されることを特徴とする請求項１に記載の画像記録装置。
【請求項３】
前記複数の記録媒体の各々において、前記静止画像が異なるフォーマットで記録可能であり、前記ユニークデータが前記異なるフォーマットの静止画像毎に記録されることを特徴とする請求項１に記載の画像記録装置。
【請求項４】
共通のユニークデータが付加された静止画像に対して共通の画像処理を施す画像処理手段を備えることを特徴とする請求項１に記載の画像記録装置。
【請求項５】
記録媒体および内蔵メモリにそれぞれ、共通の静止画像を同時に記録することができる画像記録装置であって、
撮影動作時に共通のユニークデータを、前記静止画像とともに前記記録媒体および内蔵メモリに記録するユニークデータ記録手段と、
前記静止画像の表示動作時に、前記記録媒体および内蔵メモリから前記ユニークデータを読み出し、読み出されたユニークデータが一致するときに、前記ユニークデータが一致していることを示す記録情報を表示するように制御する記録情報表示手段と
を備えることを特徴とする画像記録装置。
【請求項６】
内蔵メモリの複数の記録領域にそれぞれ、共通の静止画像を同時に記録することができる画像記録装置であって、
撮影動作時に共通のユニークデータを、前記静止画像とともに前記複数の記録領域に記録するユニークデータ記録手段と、
前記静止画像の表示動作時に、前記複数の記録領域から前記ユニークデータを読み出し、読み出されたユニークデータが一致するときに、前記ユニークデータが一致していることを示す記録情報を表示するように制御する記録情報表示手段と
を備えることを特徴とする画像記録装置。
【発明の詳細な説明】
【技術分野】
【０００１】
本発明は、複数の記録媒体に同時に共通の静止画像を記録することができる画像記録装置に関する。
【背景技術】
【０００２】
従来、ＣＦカードやＳＤカード等の２つの記録媒体を着脱自在に取付けることができるデジタルカメラが提案されている。２つの記録媒体を使用するのは主にバックアップのためであり、各記録媒体には、撮影動作によって得られた１つの静止画像が同時に記録可能である。これらの記録媒体は別個に利用可能であり、例えば、一方の記録媒体のみをパソコン等に取付けて画像処理を施すことも自由にできる。また、これらの記録媒体は常に同じもの同士が組み合わされて使用されるとは限らず、例えば、今まで別々に使用されてきた２つの記録媒体を１つのデジタルカメラに取付けることもできる。
【発明の開示】
【発明が解決しようとする課題】
【０００３】
従来のデジタルカメラでは、２つの記録媒体を取付けた状態において、共通のフォルダ番号・ファイル番号を有する画像に対して同時に消去等の操作を行うことができる。すなわち２つの画像において、フォルダ番号・ファイル番号が同じであれば、同時に記録されたものであると見なしている。しかし実際には、フォルダ番号・ファイル番号が同じであっても、それらの画像が異なる場合もあるが、操作の前に確認することはできず、消去すべきでない画像を誤って消去してしまうおそれがあった。
【０００４】
本発明は、複数の記録媒体に記録された画像に対して画像処理を行う前に、その記録内容を確認することにより、誤った画像処理の実行を防止することを目的としている。
【課題を解決するための手段】
【０００５】
本発明に係る第１の画像記録装置は、着脱自在に取付けられる複数の記録媒体にそれぞれ、共通の静止画像を同時に記録することができる画像記録装置であって、撮影動作時に共通のユニークデータを、静止画像とともに複数の記録媒体に記録するユニークデータ記録手段と、静止画像の表示動作時に、複数の記録媒体からユニークデータを読み出し、読み出されたユニークデータが一致するときに、ユニークデータが一致していることを示す記録情報を表示するように制御する記録情報表示手段とを備えることを特徴としている。
【０００６】
画像記録装置は、静止画像を表示するためのモニタを備えており、記録情報は例えば、静止画像の近傍に表示される。
【０００７】
複数の記録媒体の各々において、静止画像が異なるフォーマットで記録可能である場合、ユニークデータは異なるフォーマットの静止画像毎に記録されることが好ましい。
【０００８】
また画像記録装置は、共通のユニークデータが付加された静止画像に対して共通の画像処理を施す画像処理手段を備えることが好ましい。
【０００９】
本発明に係る第２の画像記録装置は、記録媒体および内蔵メモリにそれぞれ、共通の静止画像を同時に記録することができる画像記録装置であって、撮影動作時に共通のユニークデータを、静止画像とともに記録媒体および内蔵メモリに記録するユニークデータ記録手段と、静止画像の表示動作時に、記録媒体および内蔵メモリからユニークデータを読み出し、読み出されたユニークデータが一致するときに、ユニークデータが一致していることを示す記録情報を表示するように制御する記録情報表示手段とを備えることを特徴としている。
【００１０】
本発明に係る第３の画像記録装置は、内蔵メモリの複数の記録領域にそれぞれ、共通の静止画像を同時に記録することができる画像記録装置であって、撮影動作時に共通のユニークデータを、静止画像とともに複数の記録領域に記録するユニークデータ記録手段と、静止画像の表示動作時に、複数の記録領域からユニークデータを読み出し、読み出されたユニークデータが一致するときに、ユニークデータが一致していることを示す記録情報を表示するように制御する記録情報表示手段とを備えることを特徴としている。
【発明の効果】
【００１１】
本発明によれば、複数の記録媒体に記録された画像に対して画像処理を行う前に、その記録内容を確認することにより、誤った画像処理の実行を防止することができる。
【発明を実施するための最良の形態】
【００１２】
以下、本発明の実施の形態を、図面を参照して説明する。
図１は、本発明の実施形態である画像記録装置を適用したデジタルカメラの構成を概略的に示すブロック図である。
【００１３】
撮影光学系１０の光軸上に設けられる撮像素子１１は例えばＣＣＤである。撮像素子１１では、その受光面に結像された被写体像に応じてアナログの画像信号が発生し、この画像信号は図示しないＡＤ変換器によってデジタル形式の画像データに変換され、画像処理回路１２に入力される。
【００１４】
画像処理回路１２はＣＰＵ１３によって制御される。すなわち画像データは、いったん作業メモリ１４に格納され、読み出されて、例えばＪＰＥＧに準拠した圧縮処理等の画像処理が施される。画像処理を受けていない生データと圧縮処理された画像データは、共に、第１の記録媒体（ＳＤカード）１５と第２の記録媒体（ＣＦカード）１６に記録可能である。
【００１５】
また画像処理回路１２に入力された画像データは、作業メモリ１４に一時的に格納された後、ＬＣＤモニタ１７に入力され、これによりモニタ１７では、被写体が動画として表示される。
【００１６】
記録媒体１５、１６への記録、あるいはモニタ１７における動画の表示等の動作を実行するため、画像処理回路１２には種々のスイッチを備えた操作部材１８が接続されている。また画像処理回路１２にはEEPROM１９が接続され、EEPROM１９には後述するユニークデータ等が格納される。
【００１７】
図２はデジタルカメラの背面の構成を示す図である。カメラ本体２０の上面にはファインダ２１が設けられている。カメラ本体２０の背面において、ファインダ２１の下側には、画像あるいはメニュー等を表示するためのＬＣＤモニタ１７が設けられている。ＬＣＤモニタ１７の左側には、消去釦２３、再生釦２４等が配設されている。消去釦２３を押すことによって、記録媒体１５、１６に記録された画像データを消去することができる。また再生釦２４を押すことによって、記録媒体１５、１６に記録された画像データから静止画像を、ＬＣＤモニタ１７上において再生することができる。
【００１８】
ＬＣＤモニタ１７の右側には、上釦３１、下釦３２、右釦３３、左釦３４、決定釦３５、実行釦３６が設けられる。例えば、モニタ１７の画面にメニューが表示されている状態において、上釦３１、下釦３２、右釦３３、左釦３４を押すことにより、メニュー上のカーソルの位置を変えることができ、決定釦３５を押すことにより、そのときカーソルの位置に示された動作モードを選択することができる、また実行釦３６を押すことにより、そのとき選択された動作モードが実行される。
【００１９】
図３および図４を参照して、第１の記録媒体（ＳＤカード）１５と第２の記録媒体（ＣＦカード）１６に記録された画像データと、ＬＣＤモニタ１７の画面に表示される静止画像との関係を説明する。記録媒体１５、１６はカメラ本体２０に着脱自在に取付けられ、１回の撮影動作により共通の静止画像が、フォルダ番号・ファイル番号によって特定される記録領域に記録される。フォルダ番号・ファイル番号は階層構造の形式で構成され、１つのフォルダ番号の下の階層に多数のファイル番号が存在する。すなわちフォルダ番号・ファイル番号により、１つの画像に対応する「コマ番号」が定義され、１回の撮影動作によって、共通の静止画像が２つの記録媒体１５、１６において同じコマ番号を付して記録される。
【００２０】
また撮影動作毎に、コマ番号と同様に、記録される画像データ毎に共通のユニークデータが画像データとともに記録される。ユニークデータは、１回の撮影動作において記録され画像データに共通に付与される識別情報であり、例えば製造時からの生涯シャッタ回数である。また、時分秒を含む撮影日時をユニークデータとしてもよい。ユニークデータはＣＰＵ１３によって管理、更新されて、EEPROM１９に格納される。
【００２１】
記録媒体１５、１６の各記録領域には、圧縮処理されたデータ（ＪＰＥＧ）と生データ（ＲＡＷ）が記録可能である。図３、図４は、各記録媒体１５、１６に圧縮処理データと生データを記録した場合を示している。すなわち記録媒体１５、１６において、共にフォルダ番号・ファイル番号が「100-0001」である記録領域には、圧縮処理データと生データが記録されており、また、第１の記録媒体（ＳＤカード）１５に記録されている画像（シーンＡ）と第２の記録媒体（ＣＦカード）１６に記録されている画像（シーンＢ）とは異なっている。これは、記録媒体１５、１６が同時に使用されたのではなく、別々に使用されて異なる画像データが記録されている場合である。また記録媒体１５、１６において、共にフォルダ番号・ファイル番号が「100-0002」である記録領域には、圧縮処理データと生データが記録されており、全ての記録領域に同じ画像（シーンＣ）が記録されている。
【００２２】
図４（ａ）の上段は、記録媒体（ＳＤカード）１５のフォルダ番号・ファイル番号「100-0001」の画像（シーンＡ）を再生したとき、図４（ｂ）は記録媒体（ＣＦカード）１６のフォルダ番号・ファイル番号「100-0001」の画像（シーンＢ）を再生したときのモニタ１７の画面を示している。図４（ｃ）は記録媒体（ＳＤカード）１５と記録媒体（ＣＦカード）１６のフォルダ番号・ファイル番号「100-0002」の画像（シーンＣ）を再生したときのＬＣＤモニタ１７の画面を示している。
【００２３】
図４（ａ）の上段において、画像Ｗ１の近傍であって上部外側には、ＳＤカードの「100-0001」に、圧縮処理データ（ＪＰＥＧ）と生データ（ＲＡＷ）のフォーマットでシーンＡが記録されていることを示す文字が表示されており、また「ＪＰＥＧ」と「ＲＡＷ」の文字は情報枠Ｘ１、Ｘ２によって囲まれている。図４（ｂ）では、画像Ｗ２の上部外側に、ＣＦカードの「100-0001」に圧縮処理データ（ＪＰＥＧ）と生データ（ＲＡＷ）のフォーマットでシーンＢが記録されていることを示す文字が表示されており、また「ＪＰＥＧ」と「ＲＡＷ」の文字は情報枠Ｘ３、Ｘ４によって囲まれている。図４（ｃ）では、画像Ｗ３の上部外側には、ＳＤカードとＣＦカードの「100-0002」に、圧縮処理データ（ＪＰＥＧ）と生データ（ＲＡＷ）のフォーマットでシーンＣが記録されていることを示す文字が表示されており、また、「ＳＤ」と「ＣＦ」の各文字の横の「ＪＰＥＧ」と「ＲＡＷ」の文字は情報枠Ｘ５、Ｘ６、Ｘ７、Ｘ８によって囲まれている。
【００２４】
このように静止画像の表示動作時に、記録媒体１５、１６から画像データとともにユニークデータが読み出され、またユニークデータに対応した画像データを示す文字（ＪＰＥＧ、ＲＡＷ）が情報枠Ｘ１〜Ｘ８により囲まれる。
【００２５】
図５は、画像記録処理ルーチンを示すフローチャートである。
ステップ１０１では撮影動作が実行され、撮像素子１１において、静止画像に対応した画像信号が発生する。ステップ１０２では、画像信号がデジタルの画像データに変換されて画像処理回路１２に入力される。画像データは生データのまま作業メモリ１４に格納されるとともに、ホワイトバランス、あるいはＪＰＥＧアルゴリズムに従った圧縮処理等の画像処理を施されて、作業メモリ１４に格納される。
【００２６】
ステップ１０３では、ユニークデータが、作業メモリ１４に格納された静止画像すなわち生データと圧縮処理データに付加される。１回の撮影動作において生データと圧縮処理データに付加されるユニークデータは同じである。
【００２７】
ステップ１０４では生データ、圧縮処理データおよびユニークデータが作業メモリ１４から読み出され、記録媒体１５または１６に書き込まれる。ステップ１０５では記録媒体１５、１６の全てに対する記録動作が完了したか否かが判定され、完了していれば画像記録処理ルーチンは終了する。完了していないとき、ステップ１０４が再び実行され、記録媒体１５または１６に対する記録動作が行われる。
【００２８】
このように画像記録処理ルーチンでは、撮影動作時に共通のユニークデータが、生データおよび圧縮処理データとともに記録媒体１５、１６に記録される。
【００２９】
図６は画像表示処理ルーチンを示すフローチャートである。なお、このルーチンでは記録媒体（ＳＤカード）１５に対する処理が先に行われ、記録媒体（ＣＦカード）１６に対する処理は後で実行されるように設定されている。
【００３０】
ステップ２０１では記録媒体の準備、すなわち記録媒体に関するファイルシステムの初期化が行われ、これにより、記録媒体に記録された画像データ等が読み出せる状態になる。ステップ２０２では画像検索処理が実行され、例えばフォルダ番号・ファイル番号（すなわちコマ番号）のひとつに対応した画像データが検索される。ステップ２０３では、コマ番号に対応した画像データが検出されたか否かが判定される。検出されたとき、ステップ２０４へ進み、その画像データ（静止画像すなわちシーン）に対応したユニークデータが読み出される。
【００３１】
ステップ２０５では、ユニークデータが既に作業メモリ１４に保持されているか否かが判定される。初めてステップ２０５が実行される場合、ユニークデータはまだ読み出されていないので作業メモリ１４には保持されていない。したがって、この場合はステップ２１０へ進み、記録媒体から画像データが読み出される。ステップ２１１では、画像データに対して画像デコード・成形処理が実行され、モニタ１７の画面における所定の領域に画像を表示するための処理が行われる。ステップ２１２では、ステップ２１１の処理結果に従って画像が表示され、ステップ２１０において読み出された画像データに対応した１枚の画像がモニタ１７の画面に表示される。
【００３２】
ステップ２１３では、画像データのファイル情報がモニタ１７の画面であって画像の外側に表示される。ファイル情報は、記録媒体の種類、画像データのフォーマット、コマ番号等であり、図４（ｂ）の例では、「ＣＦ」、「ＪＰＥＧ」、「ＲＡＷ」、「100-0001」である。また図４（ｂ）の例では、圧縮画像データと生データが記録されていることに対応して「ＪＰＥＧ」と「ＲＡＷ」の文字が情報枠Ｘ３、Ｘ４により囲まれている。
【００３３】
ステップ２１３の実行の後、あるいはステップ２０３において画像データが検出されないと判定されたとき、ステップ２１４へ進み、画像検索が終了したか否かが判定される。画像検索は、１つの記録媒体について全てのコマ番号に関して実行され、まだ終了していないときはステップ２０２へ戻る。画像データが検出された場合、ステップ２０３、２０４、２０５の順に実行され、ステップ２０５においてユニークデータが保持されていると判定されたとき、ステップ２０６へ進み、その直前にステップ２０４において読み出されたユニークデータが、作業メモリ１４に保持されているユニークデータと一致するか否かが判定される。一致しない場合、ステップ２１４へ進むが、一致している場合、ステップ２１３が実行され、ファイル情報が既に表示されている画像の外側に表示される。
【００３４】
例えば図４（ｂ）の場合、初めてステップ２１３が実行されると「ＪＰＥＧ」の文字に情報枠Ｘ３が付され、２回目にステップ２１３が実行されると「ＲＡＷ」の文字に情報枠Ｘ４が付される。
【００３５】
ステップ２１４において画像検索が終了したと判定されると、ステップ２１５において、全ての記録媒体について画像検索が終了したか否かが判定される。２つの記録媒体が取付けられている場合、初めてステップ２１５が実行されるときは、まだ１つの記録媒体のみについてしか画像検索が終了していないので、ステップ２０１へ戻る。すなわち他方の記録媒体について、ステップ２０１〜２１５の処理が実行される。
【００３６】
例えば図４（ｃ）の場合、２つの記録媒体１５、１６にそれぞれ圧縮処理データと生データが記録されているので、ステップ２１３の処理は４回実行される。すなわち、初めてステップ２１３が実行されるとＳＤカードの「ＪＰＥＧ」の文字に情報枠Ｘ５が付され、２回目のときはＳＤカードの「ＲＡＷ」の文字に情報枠Ｘ６が付される。そして、３回目のときはＣＦカードの「ＪＰＥＧ」の文字に情報枠Ｘ７が付され、４回目のときはＣＦカードの「ＲＡＷ」の文字に情報枠Ｘ８が付される。
【００３７】
ステップ２１５において全ての記録媒体において画像検索処理が終了していると判定されると、画像表示処理ルーチンは終了する。その後、例えば、消去釦２３（図１）を押すことによって消去モードが選択されると、例えば図４（ａ）の下段に示すように画面の中央部に「消去」と「キャンセル」の文字が表示され、上釦３１あるいは下釦３２を操作して「消去」を選択し、実行釦３６を押すことによって、記録媒体（ＳＤカード）に記録されているシーンＡの圧縮処理データと生データが一括して消去される。すなわち、共通のユニークデータが付加された２つの画像データに対して、共通の画像処理である消去動作が実行される。
【００３８】
以上のように本実施形態では、同じ撮影動作において得られた静止画像には共通のユニークデータが付加されており、静止画像の再生時に、ユニークデータが参照され、その画像データを示す文字（ＪＰＥＧ、ＲＡＷ）が情報枠Ｘ１〜Ｘ８により囲まれる。したがって、モニタ１７の画面に表示された１つの静止画像に関し、２つの記録媒体１５、１６の画像データの文字に情報枠が表示されていれば、これは２つの記録媒体に記録されたユニークデータが一致することを示す記録情報である。ユニークデータは１回の撮影動作に固有の情報なので、フォルダ番号・ファイル番号の様に書き換えられたり、他のデジタルカメラによって付与されるファイル名や番号と一致することもない。したがって画像処理を行う前に、その静止画像を確認することができ、誤った画像処理を実行することを防止できる。
【００３９】
ユニークデータの変形例として、撮影動作毎に乱数を発生させ、これをユニークデータとして利用してもよい。またユニークデータには、デジタルカメラのシリアル番号（製造番号）を付加してもよく、これによりユニークデータの精度を上げ、共通の静止画像を確実に抽出することができる。
【００４０】
なお上記実施形態は、着脱自在に取付けられる２つの記録媒体１５、１６にそれぞれ、共通の静止画像を記録するデジタルカメラである。しかし本発明は、このような構成に限定されず、着脱自在である記録媒体とデジタルカメラに設けられた内蔵メモリにそれぞれ同じ画像を記録できる画像記録装置にも適用可能であり、また内蔵メモリの複数の記録領域に画像を記録するようにそれぞれ同じ画像データを記録できる画像記録装置にも適用可能である。
【００４１】
また本発明において、２つの記録媒体等に記録された画像に対する画像処理は消去動作に限定されず、ロック（すなわち全ての処理を禁止するモード）であってもよく、また回転のように画像を移動させる処理等、通常行われる全ての画像処理を含む。
【００４２】
さらに、同じ画像が記録される記録媒体等の数は２に限定されず、３以上であってもよい。
【図面の簡単な説明】
【００４３】
【図１】本発明の実施形態である画像記録装置を適用したデジタルカメラの構成を概略的に示すブロック図である。
【図２】デジタルカメラの背面の構成を示す図である。
【図３】ＳＤカードとＣＦカードにおいて、同じフォルダ番号・ファイル番号に異なる画像データあるいは同じ画像データが記録されている場合の組合せを示す図である。
【図４】図３に対応する表示画面を示す図である。
【図５】画像記録処理ルーチンを示すフローチャートである。
【図６】画像表示処理ルーチンを示すフローチャートである。
【符号の説明】
【００４４】
１５  第１の記録媒体
１６  第２の記録媒体
１７  ＬＣＤモニタ
Ｘ１〜Ｘ８  情報枠
【図１】
2006345029.tif 000003
【図２】
2006345029.tif 000004
【図３】
2006345029.tif 000005
【図４】
2006345029.tif 000006
【図５】
2006345029.tif 000007
【図６】
2006345029.tif 000008